(57)【特許請求の範囲】
【請求項１】
洗い場床面上の水を集水すべく洗い場床面より低い位置に設けられ、底面部に開口が形成された排水ピットと、
上端が解放された略碗状に成形され、前記開口から落ちる水を受けるトラップ本体と、
該トラップ本体を、前記排水ピットに固定する固定手段と、
上下が解放され前記開口に挿通される筒状部と、前記筒状部上端から外方側ヘ延出された環状部とを有する封水筒と、を備え、
前記封水筒の前記環状部は、上面が内方側に向けて下り勾配となる傾斜面に形成され、
前記排水ピットの底面部の前記開口周縁は、前記環状部の傾斜面より大きな勾配で内方側に向かって下り勾配となる環状傾斜面を有しており、
前記封水筒における前記環状部は前記環状傾斜面上に全周が載置され、
前記封水筒の環状部先端は、該封水筒の傾斜面と前記排水ピットの環状傾斜面との中間の下り勾配を持って形成された
ことを特徴とする排水トラップの取付構造。
【請求項２】
前記封水筒の環状部は、その外端において前記排水ピットの環状傾斜面に当接することを特徴とする請求項１記載の排水トラップの取付構造。
【請求項３】
前記封水筒における前記環状部の外周縁部には、前記排水ピットとの隙間を水密的に塞ぐ環状のシーリング材が取り付けられることを特徴とする請求項１〜２のいずれかに記載の排水トラップの取付構造。
【請求項４】
前記排水ピットの底面部に形成された前記環状傾斜面の外径は、前記封水筒における前記環状部の外径より大きく、且つ前記排水ピットの底面部に形成された前記環状傾斜面の内径は、前記封水筒における前記環状部の外径より小さく形成されることを特徴とする請求項１〜３のいずれかに記載の排水トラップの取付構造。
【請求項５】
前記固定手段の内側面には、内方側に突出した固定手段側係止手段が備えられ、前記封水筒における前記筒状部の外側面には、前記固定手段側係止手段と係止可能な外方側に突出した封水筒側係止手段が備えられ、
水平方向における前記固定手段側係止手段先端と前記筒状部の外面側との間、及び前記封水筒側係止手段先端と前記固定手段内面側との間には、それぞれ所定のマージンが形成されるように取り付けられることを特徴とする請求項１〜４のいずれかに記載の排水トラップの取付構造。
【発明の詳細な説明】
【技術分野】
【０００１】
本発明は、浴室ユニットの排水トラップ取付構造に関する。
【背景技術】
【０００２】
従来、浴室ユニットに取設される排水トラップ１０１は、例えば図９に示すように、トラップ本体１０２と、このトラップ本体を洗い場の排水ピットに取設するための取付フランジ１０６と、封水を形成するための封水筒１０７とをその主要な構成要素とする（例えば、特許文献１参照。）。
【０００３】
これらの中、トラップ本体１０２は、合成樹脂等で成型され、上部が開口する略碗状のトラップ主要部１０３と、このトラップ主要部１０３と同材で成型された蓋部１０４と、封水室ＷＲを形成する隔壁１０５の３部材を溶着させて一体に形成される。蓋部１０４には、その開口する内端に、雌ねじが螺刻された雌ねじ部１０４ａが設けられる。
【０００４】
他方、取付フランジ１０６は、トラップ本体１０２の蓋部１０４の雌ねじと螺合する雄ねじが螺刻された雄ねじ部１０６ａと、この雄ねじ部１０６ａ上端から外方へ延出するフランジ部１０６ｂと、雄ねじ部下端近傍から内方へ延出し封水筒が掛止される封水筒掛止部１０６ｃとを有する。
【０００５】
そして、封水筒１０７は、上下が解放された筒状部１０７ａと、この筒状部１０７ａ上端から外方へ延出する環状部１０７ｂとを有する。
【０００６】
この排水トラップ１０１は、排水ピット１１１に設けられた開口ＯＰ下にトラップ本体１０２の蓋部１０４を配置し、同開口ＯＰ上には取付フランジ１０６を配置して、取付フランジ１０６の雄ねじと蓋部１０４の雌ねじとを螺合させて、Ｕパッキン１１０を介して開口ＯＰ周りの排水ピット１１１を挟持することにより取設される。
【０００７】
これに対し、封水筒１０７は、その筒状部１０７ａをトラップ本体１０２の蓋部１０４に開口された取水口ＩＮに挿入して、取付フランジ１０６下部近傍の封水筒掛止部１０６ｃに、封水筒１０７の環状部１０７ｂを、パッキン１０９を介して掛止させて着脱自在に取設される。
【０００８】
なお、排水ピット１１１の開口ＯＰ周りは、取付フランジ１０６のフランジ部１０６ｂが排水ピット１１１の底面部１１１ａより高くならないように、段落ち部１１１ｂが形成される。
【０００９】
【特許文献１】特開２００１−１５２５０８号公報（図1、図３）
【発明の開示】
【発明が解決しようとする課題】
【００１０】
ところで、これらトラップ本体１０２や、取付フランジ１０６には、どうしても製造誤差が生じる。この誤差を吸収するため、トラップ本体１０２の蓋部１０４の雌ねじ部１０４ａと取付フランジ１０６の雄ねじ部１０６ａとは、一定のマージン（余裕、遊び）を持って螺合するように成形される。そのため施工誤差が生じることがあり、その場合、トラップ本体１０２の中心軸と取付フランジ１０６の中心軸とが一致しなくなり、その結果、取付フランジ１０６の中心軸と排水ピット１１１の開口ＯＰの中心軸とも一致しなくなる。
【００１１】
このように中心軸がずれた場合であっても、取付フランジ１０６が所定の位置に納まるように、フランジ部１０６ｂ外端と排水ピット１１１の段落ち部１１１ｂとの間にマージンが取られる。すなわち、フランジ部１０６ｂ外端の直径は、段落ち部１１１ｂの直径よりも小さく形成される。
【００１２】
そうすると、必然的に、フランジ部１０６ｂ外端と段落ち部１１１ｂとの間にギャップＧができ、ここに汚れが溜まり、また清掃がし難いという問題がある。
【００１３】
本発明は、上述した事情を考慮してなされたもので、製造誤差や施工誤差を考慮したマージンを設けても、排水トラップと排水ピットとの間を隙間無く取り付け可能で、汚れが溜まり難く手入れが簡単な排水トラップ取付構造を提供することを目的とするものである。
【課題を解決するための手段】
【００１４】
本発明に係る排水トラップ取付構造は、上述した課題を解決するために、洗い場床面上の水を集水すべく洗い場床面より低い位置に設けられ、底面部に開口が形成された排水ピットと、上端が解放された略碗状に成形され、前記開口から落ちる水を受けるトラップ本体と、該トラップ本体を、前記排水ピットに固定する固定手段と、上下が解放され前記開口に挿通される筒状部と、前記筒状部上端から外方側ヘ延出された環状部とを有する封水筒とを備え、前記封水筒の前記環状部は、上面が内方側に向けて下り勾配となる傾斜面に形成され、前記排水ピットの底面部の前記開口周縁は、前記環状部の傾斜面より大きな勾配で内方側に向かって下り勾配となる環状傾斜面を有しており、前記封水筒における前記環状部は前記環状傾斜面上に全周が載置され、前記封水筒の環状部先端は、該封水筒の傾斜面と前記排水ピットの環状傾斜面との中間の下り勾配を持って形成されるものである。
【００１５】
前記封水筒の環状部は、好適には、その外端において前記排水ピットの環状傾斜面に当接することが望ましい。
【００１６】
そして、前記封水筒における前記環状部の外周縁部には、好適には、前記排水ピットとの隙間を水密的に塞ぐ環状のシーリング材が取り付けられてもよい。
【００１７】
また、前記排水ピットの底面部に形成された前記環状傾斜面の外径は、好適には、前記封水筒における前記環状部の外径より大きく、且つ前記排水ピットの底面部に形成された前記環状傾斜面の内径は、前記封水筒における前記環状部の外径より小さく形成されることもできる。
【００１８】
さらに、前記固定手段の内側面には、好適には、内方側に突出した固定手段側係止手段が備えられ、前記封水筒における前記筒状部の外側面には、前記固定手段側係止手段と係止可能な外方側に突出した封水筒側係止手段が備えられ、水平方向における前記固定手段側係止手段先端と前記筒状部の外面側との間、及び前記封水筒側係止手段先端と前記固定手段内面側との間には、それぞれ所定のマージンが形成されるように取り付けられる構成とすることもできる。
【発明の効果】
【００１９】
本発明に係る排水トラップ取付構造によれば、製造誤差や施工誤差を考慮したマージンを設けても、排水トラップと排水ピットとの間を隙間無く取り付け可能で、汚れが溜まり難く手入れが簡単となる効果が得られる。
【発明を実施するための最良の形態】
【００２０】
本発明に係る排水トラップ取付構造の第１の実施の形態について、図１〜５を参照して説明する。図１は、本実施形態に係る排水トラップ取付構造の平面図、図２（ａ）は、図１に示されたＡ−Ａ断面図、図２（ｂ）は、同（ａ）におけるＣ部拡大図、図３（ａ）は、図１に示されたＢ−Ｂ断面図、図３（ｂ）は、同（ａ）におけるＤ部拡大図、図４は、図１に示されたＣ−Ｃ断面図、図５は、図２（ｂ）におけるＦ部拡大図である。
【００２１】
排水トラップ１は、トラップ本体２と、封水を形成するための封水筒７と、トラップ本体２と封水筒７とを連結する連結部材６とをその主要な構成要素とする。また、排水トラップ１は、取付部材５を備える。
【００２２】
トラップ本体２は、合成樹脂等で成型され、上部が開口する略碗状のトラップ主要部３と、このトラップ主要部３と同材で成型された蓋部４との２部材を溶着させて一体に形成される。蓋部４には、その開口する内端に、雌ねじが螺刻された雌ねじ部４ａが設けられる。
【００２３】
トラップ本体２には、下部側中央に所定高さの溜水室ＷＲが形成されるとともに、この溜水室ＷＲの下部に連通するように、浴槽からの排水を集める流入管が接続される浴槽排水取水部２ａが形成されている。
【００２４】
また、トラップ本体２には、溜水室ＷＲの上方側と連通するように、トラップ排水部２ｂが形成され、排水トラップ１の排水を外部へ導出する排水管が接続される。
【００２５】
トラップ本体２上部の開口は、洗い場部からの排水が流入する取水口ＩＮとなっている。
【００２６】
連結部材６は、外周に蓋部４の雌ねじと螺合する雄ねじが螺刻された短い円筒状の雄ねじ部６ａと、この雄ねじ部６ａ上端から外方略水平に延出するフランジ部６ｂを有する。
【００２７】
このフランジ部６ｂ上面には、排水ピット１１裏面に形成された嵌合溝１１ｃに嵌合する突条６ｃが立設される。また、雄ねじ部６ａの裏面（内側面）には、内方側に突出した固定手段側係止手段としての突片６ｄが複数設けられる。
【００２８】
取付部材５は、略中央が円筒状に陥没した板状の部材で、その底部５ａには、連結部材６の雄ねじ部が挿通可能な開口が形成される。この底部５ａは、蓋部４の雌ねじと連結部材６の雄ねじとが螺合することにより、蓋部４の上面と、連結部材６のフランジ部６ｂ下面とによって、Ｕパッキン１０を介して挟持される。
【００２９】
他方、取付部材５の頂部５ｂは、両端が上方へ折曲され、取付部５ｃが形成される。この取付部５ｃを、床パンを支持する架台に取り付けることにより、排水トラップ１全体が架台に取設される。
【００３０】
他方、排水トラップ１の排水ピット１１への固定は、図３（ｂ）に示すように、排水ピット１１の底面部１１ａと取付部材５とをボルト１２により螺合させることにより行う。そのため、ボルト孔周りの底面部１１ａは、周囲の底面部１１ａより低く形成され、ボルト１２の頭部は、キャップ１３により掩蔽される。
【００３１】
なお、本実施形態に係る連結部材６及び取付部材５は、本発明の固定手段を構成する。
【００３２】
封水筒７は、上下に開口した筒状の筒状部７ａと、この筒状部７ａ上端から斜め上方外方に拡開された環状部７ｂとを備える。すなわち、環状部７ｂは、上面が内方側に向けて下り勾配となる傾斜面に形成され、その外周縁部７ｄは、それまでの部分より大きな勾配に形成される。
【００３３】
このように、外周縁部７ｄは、鋭利な形状で薄く形成されているので、外周縁部７ｄは、全周において段落ち部１１ｂ（環状傾斜面）と点接触し、これにより、外周縁部７ｄと環状傾斜面１１ｂとが殆ど隙間無く取り付けられるので、排水ピット１１と封水筒７との取り合い部分に汚れが溜まり難く、手入れも簡単となる。
【００３４】
より好ましい形態として、外周縁部７ｄは上部側が鋭利な形状であることが望ましい。この場合、外周縁部７ｄはその先端が、全周において段落ち部１１ｂ（環状傾斜面）と点接触するので、そうでない場合に比べて、外周縁部７ｄと環状傾斜面１１ｂとの隙間がより小さくなり、排水ピット１１と封水筒７との取り合い部分に殆ど汚れが溜まらず、手入れもより簡単となる。
【００３５】
外周縁部７ｄの根本付近には、環状のシーリング材としてのＯリング９が周設され、排水ピット１１との隙間を水密的に塞いでいる。
【００３６】
そして、筒状部７ａの外側面には、連結部材６の突片６ｄと係止可能な、外方側に突出した封水筒側係止手段としての突片７ｃが複数設けられる。
【００３７】
連結部材６の突片６ｄの水平方向における先端と封水筒７の筒状部７ａの外面側との間、及び封水筒７の突片７ｃ先端と連結部材６の内面側との間には、それぞれ所定のマージンＭ１，Ｍ２が形成される。
【００３８】
これにより、トラップ本体２の中心軸が、製品誤差または施工誤差により排水ピット１１に設けられた開口ＯＰの中心軸とずれていても  封水筒７の中心軸を排水ピット１１に設けられた開口ＯＰの中心軸に一致させて取付可能となる。したがって、従来の排水トラップのように、排水ピットと取付フランジとの間にギャップを設ける必要がない。
【００３９】
排水ピット１１は、洗い場床１４から段落ちして形成され、その底面部１１ａは、内方に向かって下降する途中において、略封水筒７の環状部７ｂの厚さ分或いはそれ以上段落ちし、この段落ち部１１ｂに封水筒７の環状部７ｂが載置される。これにより、外周縁部７ｄの全周と段落ち部１１ｂ（環状傾斜面）とが確実に点接触することが可能となる。そして、底面部１１ａ先端の取水口ＩＮ近傍には、連結部材６の突条６ｃが嵌合する嵌合溝１１ｃが形成される。
【００４０】
封水筒７の環状部７ｂと排水ピット１１との取り合いについて、図５を参照して説明する。環状部７ｂは、上述したように、上面が内方側に向けて下り勾配となる傾斜面に形成され、その外周縁部７ｄは、それまでの部分より大きな勾配に形成される。
【００４１】
これに対し、排水ピット１１の段落ち部１１ｂは、環状部７ｂの外周縁部７ｄの傾斜面よりさらに大きな勾配で内方側に向かって下り勾配となる環状傾斜面に形成される。
【００４２】
したがって、環状部７ｂの外周縁部７ｄは、全周に亘り、その先端が環状傾斜面に当接する。これにより、従来の排水トラップのように、排水ピットと取付フランジとの間にギャップが生じない。このように、封水筒７の環状部７ｂと、排水ピット１１とを隙間なく取り付けることが可能なため、汚れが溜まり難く手入れが簡単になる。
【００４３】
また、排水ピット１１の底面部１１ａに形成された環状傾斜面の外径は、封水筒７における環状部７ｂの外径より大きく形成されている。これにより、製造誤差や施工誤差によって、排水ピット１１に形成された開口ＯＰの中心軸と、トラップ本体２の中心軸がずれている場合であっても、封水筒７の環状部７ｂと、排水ピット１１とをより確実に隙間無く取り付けることが可能なため、汚れが溜まり難く手入れが簡単になる。
【００４４】
次に、本発明に係る排水トラップ取付構造の第２の実施形態について、図６〜８を参照して説明する。図６は、本実施形態に係る排水トラップ取付構造の平面図、図７（ａ）は、図６に示されたＧ−Ｇ断面図、図７（ｂ）は同（ａ）におけるＩ部拡大図、図８（ａ）は、図６に示されたＨ−Ｈ断面図、図８（ｂ）は同（ａ）におけるＪ部拡大図である。
【００４５】
本実施の形態の排水トラップ取付構造は、図に示すように、蓋部４と取付部材５と連結部材６とが一体化されて固定部材１５とされる点で、第１の実施形態におけるものと基本的に相違し、他の構成は第１の実施形態と実質的に同じであり、同じ符号を付して説明を省略する。この固定部材１５は、トラップ主要部３に溶着されて一体化される。
【００４６】
このように、固定手段が一つの部材で構成されることにより、製品コストを低減でき、また、取付工程も短縮することができる。
【００４７】
また、封水筒７の環状部７ｂがより大きく形成され、排水トラップ１Ａを排水ピット１１に固定するボルト１２の頭部を掩蔽するキャップ１３を掩蔽するので、よりすっきりした意匠になっている。
【００４８】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００４９】
【図１】本発明に係る排水トラップ取付構造の第１の実施形態の平面図。
【図２】（ａ）は図１に示されたＡ−Ａ断面図、（ｂ）は（ａ）におけるＤ部拡大図。
【図３】（ａ）は図１に示されたＢ−Ｂ断面図、（ｂ）は（ａ）におけるＥ部拡大図。
【図４】図１に示されたＣ−Ｃ断面図。
【図５】図２（ｂ）におけるＦ部拡大図。
【図６】本発明に係る排水トラップ取付構造の第２の実施形態の平面図。
【図７】（ａ）は図６に示されたＧ−Ｇ断面図、（ｂ）は（ａ）におけるＩ部拡大図。
【図８】（ａ）は図６に示されたＨ−Ｈ断面図、（ｂ）は（ａ）におけるＪ部拡大図。
【図９】従来の排水トラップ取付構造を示す図。
【符号の説明】
【００５０】
１，１Ａ  排水トラップ
２  トラップ本体
２ａ  浴槽排水取水部
２ｂ  トラップ排水部
３  トラップ主要部
４  蓋部
４ａ  雌ねじ部
５  取付部材
５ａ  底部
５ｂ  頂部
５ｃ  取付部
６  連結部材
６ａ  雄ねじ部
６ｂ  フランジ部
６ｃ  突条
６ｄ  突片
７  封水筒
７ａ  筒状部
７ｂ  環状部
７ｃ  突片
７ｄ  外周縁部
９  Ｏリング
１０  Ｕパッキン
１１  排水ピット
１１ａ  底面部
１１ｂ  段落ち部（環状傾斜面）
１１ｃ  嵌合溝
１２  ボルト
１３  キャップ
１４  洗い場床
１５  固定部材
ＩＮ  取水口
Ｍ１，Ｍ２  マージン
ＯＰ  開口
ＷＲ  溜水室
【図１】
0005348602.tif 000002
【図２】
0005348602.tif 000003
【図３】
0005348602.tif 000004
【図４】
0005348602.tif 000005
【図５】
0005348602.tif 000006
【図６】
0005348602.tif 000007
【図７】
0005348602.tif 000008
【図８】
0005348602.tif 000009
【図９】
0005348602.tif 000010